(57)【要約】基地局は、複数モバイル局に対して、サービス品質（ＱｏＳ）とローディング情報をブロードキャストすることができる。モバイル局は新しいトラヒック接続についての需要があるということを決定するとき、モバイル局は、１以上の基地局から受信されるローディング情報とＱｏＳ情報とに基づいて、望ましいトラヒック接続をリクエストする基地局を選択することができる。
2012506212.tif 000002
【特許請求の範囲】
【請求項１】
効率的な承認制御を容易にするための方法であって、前記方法はモバイル局によってインプリメントされ、前記方法は、
少なくとも１つの基地局から、サービス品質（ＱｏＳ）情報とローディング情報とを受信することと、
トラヒック接続についての需要があるということを決定することと、
前記ＱｏＳ情報と前記ローディング情報とに基づいて、前記望ましいトラヒック接続をリクエストする基地局を選択することと、
を備える方法。
【請求項２】
前記ＱｏＳ情報は、少なくとも１つのＱｏＳクラスについての、最大許可帯域幅と最大許可レイテンシとを備え、前記ローディング情報は、許可接続の残りの数を備える、請求項１に記載の方法。
【請求項３】
前記基地局を選択することは、前記望ましいトラヒック接続についてのＱｏＳ及びローディング基準を満たすことができない候補基地局をフィルタアウトすることを備える、請求項１に記載の方法。
【請求項４】
特定の基地局のための前記ＱｏＳ及びローディング基準は、
前記基地局の最大許可帯域幅が前記望ましいトラヒック接続についての望ましい帯域幅を超えるという帯域幅基準と、
前記基地局の最大許可レイテンシが前記望ましいトラヒック接続についての望ましいレイテンシを超えるというレイテンシ基準と、
前記基地局が少なくとも１つの利用可能な接続を有するという接続基準と、
を備える、請求項３に記載の方法。
【請求項５】
１つの基地局だけが前記ＱｏＳ及びローディング基準を満たすことができる場合には、前記方法は、前記望ましいトラヒック接続についてのリクエストを受信するためにその基地局を選択すること、をさらに備える、請求項３に記載の方法。
【請求項６】
複数の基地局が前記ＱｏＳ及びローディング基準を満たすことができる場合、前記方法は、
前記複数の基地局のためのマージンを計算することと、
前記望ましいトラヒック接続についてのリクエストを受信するために最も大きなマージンで前記基地局を選択することと、
をさらに備える、請求項３に記載の方法。
【請求項７】
複数の基地局が前記ＱｏＳ及びローディング基準を満たすことができる場合、前記方法は、前記望ましいトラヒック接続についてのリクエストを受信するために前記複数の基地局のうちの１つを恣意的に選択することをさらに備える、請求項３に記載の方法。
【請求項８】
前記ＱｏＳ及びローディング基準を満たすことができる基地局がない場合には、前記方法は、
前記望ましいトラヒック接続についてのリクエストを受信するために基地局を選択することと、
前記選択される基地局の利用可能なリソースにマッチさせるために、前記望ましいトラヒック接続の１以上の態様をダウングレードすることと、
をさらに備える、請求項３に記載の方法。
【請求項９】
効率的な承認制御を容易にするための方法であって、前記方法は、基地局によってインプリメントされ、前記方法は、
前記基地局のためのサービス品質（ＱｏＳ）情報を決定することと、
前記基地局のためのローディング情報を決定することと、
複数モバイル局に対して、前記ＱｏＳ情報と前記ローディング情報をブロードキャストすることと、
を備える、方法。
【請求項１０】
効率的な承認制御を容易にするために構成されたモバイル局であって、
プロセッサと、
前記プロセッサと電子通信しているメモリと、
前記メモリにおいて保存された命令と、
を備え、前記命令は、
少なくとも１つの基地局から、サービス品質（ＱｏＳ）情報とローディング情報とを受信することと、
トラヒック接続についての需要があるということを決定することと、
前記ＱｏＳ情報と前記ローディング情報とに基づいて、前記望ましいトラヒック接続をリクエストする基地局を選択することと、
が前記プロセッサによって実行可能である、
モバイル局。
【請求項１１】
前記ＱｏＳ情報は、少なくとも１つのＱｏＳクラスについて、最大許可レイテンシと最大許可帯域幅とを備え、前記ローディング情報は、許可接続の残りの数を備える、請求項１０に記載のモバイル局。
【請求項１２】
前記基地局を選択することは、前記望ましいトラヒック接続についてのＱｏＳ及びローディング基準を満たすことができない候補基地局をフィルタアウトすることを備える、請求項１０に記載のモバイル局。
【請求項１３】
特定の基地局のための前記ＱｏＳ及びローディング基準は、
前記基地局の最大許可帯域幅が前記望ましいトラヒック接続についての望ましい帯域幅を超えるという帯域幅基準と、
前記基地局の最大許可レイテンシが前記望ましいトラヒック接続についての望ましいレイテンシを超えるというレイテンシ基準と、
前記基地局が少なくとも１つの利用可能な接続を有するという接続基準と、
を備える、請求項１２に記載のモバイル局。
【請求項１４】
１つの基地局だけが前記ＱｏＳ及びローディング基準を満たすことができる場合には、前記命令はまた、前記望ましいトラヒック接続についてのリクエストを受信するために、その基地局を選択することが実行可能である、請求項１２に記載のモバイル局。
【請求項１５】
複数の基地局が前記ＱｏＳ及びローディング基準を満たすことができる場合、前記命令はまた、
前記複数の基地局のためのマージンを計算することと、
前記望ましいトラヒック接続についてのリクエストを受信するために最も大きなマージンで前記基地局を選択することと、
が実行可能である、請求項１２に記載のモバイル局。
【請求項１６】
複数の基地局が前記ＱｏＳ及びローディング基準を満たすことができる場合、前記命令はまた、前記望ましいトラヒック接続についてのリクエストを受信するために、前記複数の基地局のうちの１つを恣意的に選択することが実行可能である、請求項１２に記載のモバイル局。
【請求項１７】
前記ＱｏＳ及びローディング基準を満たすことができる基地局がない場合には、前記命令はまた、
前記望ましいトラヒック接続についてのリクエストを受信するために基地局を選択することと、
前記選択される基地局の利用可能なリソースにマッチさせるために、前記望ましいトラヒック接続の１以上の態様をダウングレードすることと、
が実行可能である、請求項１２に記載のモバイル局。
【請求項１８】
効率的な承認制御を容易にするための基地局であって、
プロセッサと、
前記プロセッサと電子通信しているメモリと、
前記メモリにおいて保存される命令と、
を備え、前記命令は、
前記基地局のためのサービス品質（ＱｏＳ）情報を決定することと、
前記基地局のためのローディング情報を決定することと、
複数モバイル局に対して、前記ＱｏＳ情報と前記ローディング情報をブロードキャストすることと、
が前記プロセッサによって実行可能である、
基地局。
【請求項１９】
効率的な承認制御を容易にするために構成されたモバイル局であって、
少なくとも１つの基地局から、サービス品質（ＱｏＳ）情報とローディング情報とを受信するための手段と、
トラヒック接続についての需要があるということを決定するための手段と、
前記ＱｏＳ情報と前記ローディング情報とに基づいて前記望ましいトラヒック接続をリクエストする基地局を選択するための手段と、
を備えるモバイル局。
【請求項２０】
前記ＱｏＳ情報は、少なくとも１つのＱｏＳクラスについて、最大許可レイテンシと最大許可帯域幅とを備え、前記ローディング情報は、許可接続の残りの数を備える、請求項１９に記載のモバイル局。
【請求項２１】
前記基地局を選択するための手段は、前記望ましいトラヒック接続についてのＱｏＳ及びローディング基準を満たすことができない候補基地局をフィルタアウトするための手段、を備える、請求項１９に記載のモバイル局。
【請求項２２】
特定の基地局のための前記ＱｏＳ及びローディング基準は、
前記基地局の最大許可帯域幅が前記望ましいトラヒック接続についての望ましい帯域幅を超えるという帯域幅基準と、
前記基地局の最大許可レイテンシが前記望ましいトラヒック接続についての望ましいレイテンシを超えるというレイテンシ基準と、
前記基地局が少なくとも１つの利用可能な接続を有するという接続基準と、
を備える、請求項２１に記載のモバイル局。
【請求項２３】
１つの基地局だけが前記ＱｏＳ及びローディング基準を満たすことができる場合には、前記モバイル局は、前記望ましいトラヒック接続についてのリクエストを受信するためにその基地局を選択するための手段、をさらに備える、請求項２１に記載のモバイル局。
【請求項２４】
複数の基地局が前記ＱｏＳ及びローディング基準を満たすことができる場合には、前記モバイル局は、
前記複数の基地局のためのマージンを計算するための手段と、
前記望ましいトラヒック接続についてのリクエストを受信するために大きなマージンで前記基地局を選択するための手段と、
をさらに備える、請求項２１に記載のモバイル局。
【請求項２５】
複数の基地局が前記ＱｏＳ及びローディング基準を満たすことができる場合、前記モバイル局は、前記望ましいトラヒック接続についてのリクエストを受信するために前記複数の基地局のうちの１つを恣意的に選択するための手段、をさらに備える、請求項２１に記載のモバイル局。
【請求項２６】
前記ＱｏＳ及びローディング基準を満たすことができる基地局がない場合には、前記モバイル局は、
前記望ましいトラヒック接続についてのリクエストを受信するために基地局を選択するための手段と、
前記選択される基地局の利用可能なリソースにマッチさせるために、前記望ましいトラヒック接続の１以上の態様をダウングレードするための手段と、
をさらに備える、請求項２１に記載のモバイル局。
【請求項２７】
効率的な承認制御を容易にするための基地局であって、
前記基地局のためのサービスの品質（ＱｏＳ）情報を決定するための手段と、
前記基地局のためのローディング情報を決定するための手段と、
複数モバイル局に対して、前記ＱｏＳ情報と前記ローディング情報をブロードキャストするための手段と、
を備える基地局。
【請求項２８】
モバイル局によって効率的な承認制御を容易にするためのコンピュータプログラムプロダクトであって、前記コンピュータプログラムプロダクトは、命令を有しているコンピュータ可読媒体を備えており、前記命令は、
少なくとも１つの基地局から、サービス品質（ＱｏＳ）情報とローディング情報とを受信するためのコードと、
トラヒック接続についての需要があるということを決定するためのコードと、
前記ＱｏＳ情報と前記ローディング情報とに基づいて、前記望ましいトラヒック接続をリクエストする基地局を選択するためのコードと、
を備える、
コンピュータプログラムプロダクト。
【請求項２９】
前記ＱｏＳ情報は、少なくとも１つのＱｏＳクラスについて、最大許可レイテンシと最大許可帯域幅とを備え、前記ローディング情報は、許可接続の残りの数を備える、請求項２８に記載のコンピュータプログラムプロダクト。
【請求項３０】
基地局によって効率的な承認制御を容易にするためのコンピュータプログラムプロダクトであって、前記コンピュータプログラムプロダクトは、命令を有しているコンピュータ可読媒体を備えており、前記命令は、
前記基地局のためのサービス品質（ＱｏＳ）情報を決定するためのコードと、
前記基地局のためのローディング情報を決定するためのコードと、
複数モバイル局に対して、前記ＱｏＳ情報と前記ローディング情報をブロードキャストするためのコードと、
を備える、
コンピュータプログラムプロダクト。
【発明の詳細な説明】
【技術分野】
【０００１】
本開示は、一般的に通信システムに関する。より具体的には、本開示は、ワイヤレス通信システムにおいて承認制御を支援するためにサービスの品質(ＱｏＳ)をブロードキャストすることに関する。
【背景】
【０００２】
ワイヤレス通信システムは、世界の多くの人々が通信するようになった重要な手段となっている。ワイヤレス通信システムは多くのモバイル局のために通信を供給することができ、それらの各々は基地局によってサービス提供されることができる。ここにおいて使用されているように、用語「モバイル局(mobile station)」は、ワイヤレス通信システム上の音声及び/またはデータ通信のために使用されることができる電子デバイスを指す。モバイル局の例は、セルラ電話、携帯情報端末（ＰＤＡ）、ハンドヘルドデバイス、ワイヤレスモデム、ラップトップコンピュータ、パーソナルコンピュータなどを含む。モバイル局は、代替的に、アクセス端末、モバイル端末、加入者局、遠隔局、ユーザ端末、端末、加入者ユニット、モバイルデバイス、ワイヤレスデバイス、ユーザ機器、または他の同様な用語で呼ばれてもよい。用語「基地局(base station)」は、固定されたロケーションでインストールされるワイヤレス通信局を指しており、モバイル局と通信するために使用される。基地局は、代替的に、アクセスポイント、ノードＢ、発展型ノードＢ、あるいはいくつかの他の同様な用語で呼ばれてもよい。
【０００３】
モバイル局は、アップリンク及びダウンリンク上の送信を介して、1以上の基地局と通信することができる。アップリンク(あるいは逆方向リンク)は、モバイル局から基地局までの通信リンクを指し、ダウンリンク(あるいは順方向リンク)は基地局からモバイル局までの通信リンクを指す。
【０００４】
ワイヤレス通信システムのリソース（例、帯域幅および送信パワー）は、複数のモバイル局の中で共有されることができる。符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、などを含んでいる様々な多元接続技術が知られている。
【０００５】
利点は、ワイヤレス通信システムのオペレーションに関連する改良方法及び装置によって実現されることができる。
【発明の概要】
【０００６】
効率的な承認制御を容易にするための方法が開示されている。方法は、モバイル局によってインプリメントされることができる。方法は、少なくとも1つの基地局から、サービス品質(ＱｏＳ)情報とローディング情報とを受信することを含むことができる。方法はまた、トラヒック接続についての需要があるということを決定することを含むことができる。方法はまた、ＱｏＳ情報とローディング情報とに基づいて、望ましいトラヒック接続をリクエストする基地局を選択することを含むことができる。
【０００７】
効率的な承認制御を容易にするための方法が開示されている。方法は、基地局によってインプリメントされることができる。方法は、基地局のためのサービス品質(ＱｏＳ)情報を決定することを含むことができる。方法はまた、基地局のためのローディング情報を決定することを含むことができる。方法はまた、複数モバイル局に対して、ＱｏＳ情報とローディング情報をブロードキャストすることを含むことができる。
【０００８】
効率的な承認制御を容易にするために構成されるモバイル局が開示されている。モバイル局は、プロセッサと、そのプロセッサと電子通信しているメモリ、そのメモリにおいて保存される命令(instructions)、を含むことができる。命令は、プロセッサによって、少なくとも1つの基地局からサービス品質(ＱｏＳ)情報とローディング情報とを受信することが実行可能である。命令はまた、トラヒック接続についての需要があるということを決定することが実行可能である。命令はまた、ＱｏＳ情報とローディング情報とに基づいて、望ましいトラヒック接続をリクエストする基地局を選択することを実行可能である。
【０００９】
効率的な承認制御を容易にするための基地局が開示されている。基地局は、プロセッサと、そのプロセッサと電子通信しているメモリ、そのメモリにおいて保存される命令、を含むことができる。命令は、プロセッサによって、基地局のためのサービス品質(ＱｏＳ)情報を決定することが実行可能である。命令はまた、基地局のためのローディング情報を決定することが実行可能である。命令はまた、複数モバイル局に対して、ＱｏＳ情報とローディング情報をブロードキャストすることが実行可能である。
【００１０】
効率的な承認制御を容易にするために構成されるモバイル局が開示されている。モバイル局は、少なくとも1つの基地局から、サービス品質(ＱｏＳ)情報とローディング情報とを受信するための手段を含むことができる。モバイル局はまた、トラヒック接続についての需要があるということを決定するための手段を含むことができる。モバイル局は、さらに、ＱｏＳ情報とローディング情報とに基づいて、望ましいトラヒック接続をリクエストする基地局を選択するための手段を含むことができる。
【００１１】
効率的な承認制御を容易にするための基地局が開示されている。基地局は、基地局のためのサービス品質(ＱｏＳ)情報を決定するための手段を含むことができる。基地局はまた、基地局のためのローディング情報を決定するための手段を含むことができる。モバイル局はまた、複数モバイル局に対して、ＱｏＳ情報とローディング情報をブロードキャストするための手段を含むことができる。
【００１２】
モバイル局によって効率的な承認制御を容易にするためのコンピュータプログラムプロダクトが開示されている。コンピュータプログラムプロダクトは、命令を有するコンピュータ可読媒体を含むことができる。命令は、少なくとも1つの基地局から、サービス品質(ＱｏＳ)情報とローディング情報とを受信するためのコードを含むことができる。命令はまた、トラヒック接続についての需要があるということを決定するためのコードを含むことができる。命令はまた、ＱｏＳ情報とローディング情報とに基づいて、望ましいトラヒック接続をリクエストする基地局を選択するためのコードを含むことができる。
【００１３】
基地局によって効率的な承認制御を容易にするためのコンピュータプログラムプロダクトが開示されている。コンピュータプログラムプロダクトは、命令を有するコンピュータ可読媒体を含むことができる。命令は、基地局のためのサービス品質(ＱｏＳ)情報を決定するためのコードを含むことができる。命令はまた、基地局のためのローディング情報を決定するためのコードを含むことができる。命令はまた、複数モバイル局に対して、ＱｏＳ情報とローディング情報をブロードキャストするためのコードを含むことができる。
【００１４】
ある実施形態において、ここにおいて提示されるモバイル局及び/または基地局の実施形態のそれぞれは、電気電子技術者協会（ＩＥＥＥ）８０２．１６標準規格に対応するワイヤレス通信システムにおけるオペレーションのために構成されることができる。
【図面の簡単な説明】
【００１５】
【図１】図１は、ここにおいて開示される方法が使用されることができるワイヤレス通信システムの例を示す。
【図２】図２は、ワイヤレス通信システム内の複数の基地局のサービスエリア内のモバイル局を図示しており、モバイル局と基地局は、本開示にしたがって効率的な承認制御を容易にするように構成される。
【図３】図３は、本開示に従って基地局によって送られることができるブロードキャストメッセージを図示する。
【図４】図４は、本開示に従ってモバイル局のオペレーションのある態様を図示する。
【図５】図５は、本開示に従ってモバイル局のオペレーションのさらなるある態様を図示する。
【図６】図６は、本開示に従ってモバイル局のオペレーションのさらなるある態様を図示する。
【図７】図７は、本開示に従ってモバイル局によってインプリメントされることができる方法を図示する。
【図８】図８は、図７の方法に対応するミーンズプラスファンクションブロックを図示する。
【図９】図９は、本開示に従って基地局によってインプリメントされることができる方法を図示する。
【図１０】図１０は、図９の方法に対応するミーンズプラスファンクションブロックを図示する。
【図１１】図１１は、ワイヤレスデバイス内に含まれうるあるコンポーネントを図示する。
【詳細な説明】
【００１６】
ここにおいて開示される方法及び装置は、ＷｉＭＡＸシステムでインプリメントされることができる。用語「ＷｉＭＡＸ」は、ブロードバンドワイヤレスアクセス基準に関する電気電子技術者協会（ＩＥＥＥ）８０２．１６ワーキンググループによって用意されている、ファミリの標準規格を指す。したがって、用語「ＷｉＭＡＸシステム」は、１以上のＷｉＭＡＸ基準に従って構成されるワイヤレス通信システムを指す。
【００１７】
サービス品質(ＱｏＳ)は、異なるデータフローに異なるプライオリティを供給する、または、データフローに対してあるレベルの性能を保証する、機能(ability)である。例えば、要求されるビットレート、遅延、ジッター(jitter)、パケットドロッピング確率、および/または、ビットエラーレートが保証されることができる。
【００１８】
ＱｏＳの一態様は承認制御である。承認制御は、リソース利用可能性に基づいて、新しいトラヒックに対する承認を制御するシステムの機能である。承認制御は、そのような承認が既存のトラヒックの性能を妥協しないであろう場合のみ、新しいトラヒックが承認されるということを確実にするために、実行されることができる。
【００１９】
ＷｉＭＡＸシステムでは、特定ＱｏＳを備えたトラヒックをトランスポートするためにシステムリソースを使用したいモバイル局が最初に、基地局に対して接続リクエストを送る。接続リクエストは、トラヒックと望ましいＱｏＳの特性についての情報を含むことができる。基地局は、接続を受諾するのに十分に利用可能なリソースを有するかどうかを決定することができ、基地局は接続リクエストを受諾または拒絶のいずれかを行う。
【００２０】
現在、ＷｉＭＡＸシステムにおけるモバイル局が接続リクエストを行うとき、モバイル局は、可能性のある基地局（単数または複数）の現在のローディングまたはＱｏＳ機能について情報を有していない。これに関するある不利益がある。
【００２１】
例えば、モバイル局が基地局からあるＱｏＳパラメータで新しい接続をリクエストすると仮定する。モバイル局が接続リクエストを行ったときに基地局のＱｏＳ機能について何も知らなかったために、基地局は、リクエストされるＱｏＳパラメータを提供するのに十分なリソースを有していないという可能性があり、したがって、基地局は、始めに(in the first run)接続を拒絶することができる。これが生じるとき、モバイル局は、ダウングレードされるＱｏＳパラメータで基地局に対して別の接続リクエストを送信することができる。このネゴシエーションプロセスは、さらなるＣＰＵ処理を行い、遅延を引き起こす。
【００２２】
別の例として、モバイル局は、モバイル局が新しいトラヒック接続についての需要があるということを決定するときに、複数の基地局のサービスエリア内にあると仮定する。モバイル局は様々な基地局のＱｏＳ機能について何も知らないので、モバイル局はどの基地局を選択するかを知らない。したがって、モバイル局は、承認をリクエストする1つの基地局を無分別に選ぶ。しかしながら、選択された基地局は、モバイル局のＱｏＳ必要条件を満たさなくてもよいので、新しいトラヒック接続は基地局によって拒絶されうる。
【００２３】
本開示は、一般的には、ワイヤレス通信システムにおいて効率的な承認制御を容易にするための方法に関する。モバイル局に承認をむやみにリクエストさせる代わりに、本開示は、複数モバイル局に対してＱｏＳ及びローディング情報を基地局がブロードキャストすることを提案する。その後で、接続リクエストをするとき、モバイル局は、ＱｏＳ及びローディング情報を使用することができる。例えば、モバイル局が新しいトラヒック接続についての需要があるということを決定するときにモバイル局が複数の基地局のサービスエリア内にある場合には、モバイル局は、最も好ましい基地局を選ぶためにＱｏＳ及びローディング情報を使用することができる。さらに、モバイル局は、どのＱｏＳパラメータがリクエストされるべきかを選ぶために、ＱｏＳ及びローディング情報を使用することができる。
【００２４】
図１は、ここにおいて開示される方法が利用されることができるワイヤレス通信システム１００の例を示す。ワイヤレス通信システム１００は、複数の基地局（ＢＳ）１０２と複数のモバイル局（ＭＳ）１０４を含む。各基地局１０２は、特定の地理的エリア１０６のための通信サービスエリアを提供する。用語「セル（cell）」は、用語が使用される文脈によっては、基地局１０２及び／またはそのサービスエリア１０６を指すことができる。
【００２５】
システムキャパシティを改善するために、基地局のサービスエリア１０６は、複数の小さいエリア、例えば３つの小さいエリア、１０８ａ、１０８ｂ、１０８ｃに分割されることができる。各より小さなエリア１０８ａ、１０８ｂ、１０８ｃは、それぞれのベーストランシーバ局（ＢＴＳ）によってサービス提供されることができる。用語「セクタ(sector)」は、用語が使用される文脈によって、ＢＴＳ及び／またはそのサービスエリア１０８を指すことができる。セクタ化されたセルの場合、そのセルのすべてのセクタのためのＢＴＳは、一般的には、セルのための基地局１０２内に共同配置される。
【００２６】
モバイル局１０４は、一般的には、システム１００の全体にわたって分散している。モバイル局１０４は、いずれの与えられた瞬間において、ダウンリンク及び／またはアップリンク上で０、１、または複数の基地局１０４と通信することができる。
【００２７】
集中型のアーキテクチャの場合、システムコントローラ１１０は、基地局１０２に結合することができ、基地局１０２のための調整(coordination)及び制御を提供することができる。システムコントローラ１１０は、単一のネットワークエンティティ、または、ネットワークエンティティの集まりであってもよい。分散型のアーキテクチャの場合、基地局１０２は、必要なときに、互いに通信することができる。
【００２８】
図２は、ワイヤレス通信システム内の複数の基地局２０２のサービスエリア１０６内で位置づけられることができるモバイル局２０４を図示する。モバイル局２０４は、各基地局２０２から、ＱｏＳ情報２１２とローディング情報２１４を受信することができる。各基地局２０２は、複数のモバイル局（図示されず）に対して送られるブロードキャストメッセージ２１６において、そのＱｏＳ情報２１２とローディング情報２１４を送ることができる。モバイル局２０４は、下記で詳細に説明されるように、接続リクエストを行うとき、ＱｏＳ情報２１２とローディング情報２１４を使用することができる。
【００２９】
上述されているように、各基地局２０２は、ブロードキャストメッセージ２１６においてそのＱｏＳ情報２１２とローディング情報２１４を送ることができる。ワイヤレス通信システムがＷｉＭＡＸシステムである場合、ＱｏＳ情報２１２およびローディング情報２１４は、既存のＷｉＭＡＸメッセージの新しいパラメータに含まれることができる。いいかえれば、ＷｉＭＡＸ標準規格で現在定義されるメッセージ（例、ダウンリンクＭＡＰメッセージ、アップリンクＭＡＰメッセージなど）は、ＱｏＳ情報２１２とローディング情報２１４のためにさらなるパラメータを含むように修正されることができる。あるいは、ＱｏＳ情報２１２とローディング情報２１４は、新しいＷｉＭＡＸメッセージ、すなわちＷｉＭＡＸ標準規格において現在定義されていないメッセージ、に含まれることができる。
【００３０】
あるいは、ＱｏＳ情報２１２とローディング情報２１４は、各Ｎフレームに１度、ブロードキャストされることができる。あるいは、ＱｏＳ情報２１２とローディング情報２１４は、フレームごとにブロードキャストされることができる。
【００３１】
図３では、より詳細にブロードキャストメッセージ２１６を図示する。ブロードキャストメッセージ２１６は、各ＱｏＳクラス３１８について、下記の情報：最大許可帯域幅(maximum bandwidth allowed)（Ｂ）３２０、最大許可レイテンシ(maximum latency allowed)（Ｔ）３２２、および許可接続の残りの数(remaining number of connections allowed)（Ｎ）３２４、を含むことができる。最大許可帯域幅３２０と最大許可レイテンシ３２２は、ＱｏＳ情報２１２の例である。許可接続の残りの数３２４は、ローディング情報２１４の例である。
【００３２】
ＷｉＭＡＸシステムでは、異なるＱｏＳクラス３１８は、要求されていないグラントサービス(unsolicited grant services)（ＵＧＳ）、リアルタイム可変レート(real-time variable rate)(ＲＴ−ＶＲ)、拡張リアルタイム可変レート(extended-real-time variable rate)(ＥＲＴ−ＶＲ)、非リアルタイム可変レート(non-real-time variable rate)（ＮＲＴ−ＶＲ）、そしてベストエフォート（ＢＥ）を含むことができる。ＵＧＳは、一定のビットレートで、固定サイズのデータパケットをサポートするように設計されている。ＵＧＳを使用することができるアプリケーションの例は、Ｔ１／Ｅ１エミュレーションとサイレンス抑制を伴わないボイス−オーバ−ＩＰ（ＶｏＩＰ）である。ＥＲＴ−ＶＲは、可変データレートを有するが保証されるデータレート及び遅延を要求する、サイレンス抑制を備えたＶｏＩＰのようなリアルタイムアプリケーションをサポートするように設計される。ＲＴ−ＶＲは、周期ベースで可変サイズデータパケットを生成する、ＭＰＥＧビデオのようなリアルタイムサービスフローをサポートするように設計する。ＮＲＴ−ＶＲは、最小保証レートで可変サイズデータグラントを要求する、ＦＴＰのような遅延耐性データストリームをサポートするように設計される。ＢＥは、最小サービスレベル保証を必要としない、ウェブブラウジングのようなデータストリームをサポートするように設計される。
【００３３】
図４−６は、モバイル局２０４のオペレーションのある態様を図示する。初めに図４を参照する。ある時点で、新しいトラヒック接続についての需要がモバイル局２０４において生じうる。あるパラメータ４２６は、望ましいトラヒック接続と関連づけられることができる。望ましいトラヒック接続パラメータ４２６は、望ましいＱｏＳクラス４２８、望ましい帯域幅（Ｂ’）４３０、及び、望ましいレイテンシ（Ｔ’）４３２、を含むことができる。
【００３４】
モバイル局２０４は、複数の基地局２０２のサービスエリアエリア内で位置づけられることができる。したがって、モバイル局２０４が望ましいトラヒック接続をリクエストすることができる複数の基地局２０２があってもよい。上述されているように、モバイル局２０４は、これらの候補基地局２０２から、ＱｏＳ情報２１２とローディング情報２１４を受信することができた可能性がある。モバイル局２０４は、候補基地局２０２のリスト４３４を作成することができ、そのリストは、ＱｏＳ情報２１２と候補基地局２０２から受信されるローディング情報２１４とを含むことができる。
【００３５】
モバイル局２０４は、あるＱｏＳ及びローディング基準４３６を満たすことができない候補基地局２０２をフィルタアウトすることができる。フィルタリングモジュール４３８はこの機能を提供するために示されている。フィルタリングモジュール４３８は、ＱｏＳ及びローディング基準４３６が満たされるかどうかを見るために、望ましいトラヒック接続パラメータ４２６と、候補基地局２０２から受信されるＱｏＳ情報２１２及びローディング情報２１４を比較することができる。
【００３６】
ＱｏＳ及びローディング基準４３６は、帯域幅基準４４０、レイテンシ基準４４２および接続基準４４４を含むことができる。帯域幅基準４４０は、基地局２０２が望ましいＱｏＳクラス４２８についての望ましい帯域幅（Ｂ’）４３０を提供することができる、ということであってもよい。レイテンシ基準４４２は、基地局２０２が望ましいＱｏＳクラス４２８についての望ましいレイテンシ（Ｔ’）４３２を提供することができる、ということであってもよい。接続基準４４４は、基地局２０２が少なくとも１つの利用可能な接続を有するということであってもよい。
【００３７】
フィルタリングモジュール４３８は、候補基地局２０２のフィルタにかけられたリスト４４６を出力することができる。候補基地局２０２のフィルタにかけられたリスト４４６は、ＱｏＳ及びローディング基準４３６を満たすことができる基地局２０２を含むことができる。
【００３８】
候補基地局２０２のフィルタにかけられたリスト４４６は、１つの基地局２０２だけを含むことができる。このシチュエーションにおいて、モバイル局２０４は、望ましいトラヒック接続についての接続リクエストを受信するために、その基地局２０２を選択することができる。
【００３９】
次に図５を参照する。候補基地局２０２のフィルタにかけられたリスト４４６が複数の基地局２０２を含む場合には、（すなわち、複数の基地局２０２がＱｏＳ及びローディング基準４３６を満たすことができる）、モバイル局２０４は、これらの基地局２０２のためのマージン５４８を計算することができる。マージン計算モジュール５５０はこの機能を提供するために示されている。
【００４０】
マージン計算モジュール５５０は、マージン情報５５２を出力することができ、そしてそれは、候補基地局２０２のフィルタにかけられた４４６において各基地局２０２のためのマージン５４８を含むことができる。特定の基地局２０２のためのマージン５４８は、ｍｉｎ｛（Ｂ−Ｂ’）／Ｂ’，Ｎ｝として定義されることができる。モバイル局２０４は、望ましいトラヒック接続のための接続リクエストを受信するために、最も大きいマージン５４８で基地局２０２を選択することができる７１４。
【００４１】
あるいは、モバイル局２０４は、接続リクエストを受信するために、ＱｏＳ及びローディング基準を満たす基地局２０２のうちの１つをただ単に恣意的に選択することができる。モバイル局２０４は、これらの基地局２０２のためのマージン５４８を計算することなく、この選択を行うことができる。
【００４２】
次に図６を参照する。候補基地局２０２のフィルタにかけられた４４６が空である場合、（すなわち、候補基地局２０２のうちのいずれもＱｏＳ及びローディング基準４３６を満たすことができない）、モバイル局２０４は、それでも、候補基地局２０２のリスト４３４から１つの基地局２０２を選び、承認をリクエストする。
【００４３】
しかしながら、モバイル局２０４は、選択される基地局２０２の利用可能なリソースにマッチさせるために、望ましいトラヒック接続の１以上の態様をダウングレードすることができる。パラメータ調整モジュール６５４はこの機能を提供するために示されている。例えば、モバイル局２０４は、望ましいトラヒック接続の、望ましいＱｏＳクラス４２８、望ましい帯域幅（Ｂ’）４３０、及び／または、望ましいレイテンシ（Ｔ’）４３２をダウングレードすることができる。したがって、ダウングレードされる望ましいトラヒック接続パラメータ６５６は、ダウングレードされる望ましいＱｏＳクラス６５８、ダウングレードされる望ましい帯域幅６６０、及び／または、ダウングレードされる望ましいレイテンシ６６２、を含むことができる。
【００４４】
図７は、本開示に従ってモバイル局２０４によってインプリメントされることができる方法７００を図示する。図示される方法７００では、モバイル局２０４は、少なくとも１つの基地局２０２から、ＱｏＳ情報２１２とローディング情報２１４を受信することができる７０２。基地局（単数または複数）２０２は、ブロードキャストメッセージ２１６においてＱｏＳ情報２１２とローディング情報２１４を送ることができる。
【００４５】
ある時点において、モバイル局２０４は、新しいトラヒック接続についての需要があるということを決定することができる７０４。それに応じて、モバイル局２０４は、ＱｏＳ情報２１２とローディング情報２１４とに基づいて望ましいトラヒック接続をリクエストする基地局２０２を選択することができる。
【００４６】
適切な基地局２０２を選択するために、モバイル局２０４は、望ましいトラヒック接続のためにあるＱｏＳ及びローディング基準４３６を満たすことができない候補基地局２０２をフィルタアウトすることができる７０６。上述されるように、これらのＱｏＳ及びローディング基準４３６は、帯域幅基準４４０（すなわち、基地局２０２は望ましいＱｏＳクラス４２８についての望ましい帯域幅４３０を提供することができる）、レイテンシ基準４４２（すなわち、基地局２０２は望ましいＱｏＳクラス４２８についての望ましいレイテンシ４３２を提供することができる）、接続基準４４４（基地局２０２は少なくとも１つの利用可能な接続を有する）、を含むことができる。
【００４７】
いったんフィルタリングが完了すると、モバイル局２０４は、どのくらいの基地局２０２が候補基地局２０２のフィルタにかけられたリスト４４６において残っているのか（すなわち、どのくらい多くの基地局２０２がＱｏＳ及びローディング基準４３６を満たすことができるのか）を決定することができる７０８。候補基地局２０２のフィルタにかけられた４４６は１つの基地局２０２だけを含む場合には、モバイル局２０４は、望ましいトラヒック接続についてのリクエストを受信するために、その基地局２０２を選択することができる７１０。
【００４８】
候補基地局２０２のフィルタにかけられた４４６は複数の基地局２０２を含む場合には（すなわち、複数の基地局２０２がＱｏＳ及びローディング基準４３６を満たすことができる）、モバイル局２０４は、これらの基地局２０２のためのマージン５４８を計算することができる。特定の基地局２０２のためのマージン５４８は、ｍｉｎ｛（Ｂ−Ｂ’）／Ｂ’，Ｎ｝として定義されることができる。モバイル局２０４は、望ましいトラヒック接続についてのリクエストを受信するために、最も大きいマージン５４８で基地局２０２を選択することができる７１４。あるいは、モバイル局２０４は、接続リクエストを受信するために、ＱｏＳ及びローディング基準を満たす基地局２０２のうちの１つをただ単に恣意的に選択することができる。
【００４９】
候補基地局２０２のフィルタにかけられた４４６が空である場合（すなわち、候補基地局２０２のうちのいずれもＱｏＳ及びローディング基準４３６を満たすことができない）、モバイル局２０４は、それでも、望ましいトラヒック接続についてのリクエストを受信するために、候補基地局２０２のうちの１つを選択することができる７１６。しかしながら、モバイル局２０４は、選択される基地局２０２の利用可能なリソースにマッチさせるために、望ましいトラヒック接続の１以上の態様をダウングレードすることができる７１８。例えば、モバイル局２０４は、望ましいトラヒック接続の、望ましいＱｏＳクラス４２８、望ましい帯域幅（Ｂ’）４３０、及び／または、望ましいレイテンシ（Ｔ’）４３２をダウングレードすることができる。
【００５０】
上記で説明される図７の方法７００は、図８で図示されるミーンズプラスファンクションブロック８００に対応する様々なハードウェア及び／またはソフトウェアのコンポーネント（単数又は複数）及び／モジュール（単数又は複数）によって実行されることができる。言いかえれば、図７で図示されるブロック７０２〜７１８は、図８で図示されるミーンズプラスファンクションブロック８０２〜８１８に対応している。
【００５１】
図９は、本開示に従って基地局２０２によってインプリメントされることができる方法９００を図示する。図示される方法９００では、基地局２０２は、基地局２０２のためのＱｏＳ情報２１２を決定することができる９０２。例えば、基地局２０２は、１以上のＱｏＳクラス３１８のために、基地局２０２によって最大許可帯域幅３２０と、基地局２０２によって最大許可レイテンシ３２２と、を決定することができる。基地局２０２はまた、基地局２０２のためのローディング情報２１４を決定することができる９０４。例えば、基地局２０２は、基地局２０２によって許可接続の残りの数３２４を決定することができる。
【００５２】
基地局２０２はまた、モバイル局２０４に対して、ＱｏＳ情報２１２とローディング情報２１４をブロードキャストすることができる９０６。基地局２０２がＷｉＭＡＸシステムにおけるオペレーションのために構成される場合、ＱｏＳ情報２１２とローディング情報２１４は、既存のＷｉＭＡＸメッセージ（例、ダウンリンクＭＡＰメッセージ、アップリンクＭＡＰメッセージなど）の新しいパラメータの中に、または、新規のＷｉＭＡＸメッセージに、含まれることができる。ＱｏＳ情報２１２とローディング情報２１４は、各Ｎフレームに１度、ブロードキャストされることができる。あるいは、ＱｏＳ情報２１２とローディング情報２１４は、フレームごとにブロードキャストされることができる。
【００５３】
上記で説明される図９の方法９００は、図１０で図示されるミーンズプラスファンクションブロック１０００に対応する様々なハードウェア及び／またはソフトウェアのコンポーネント（単数又は複数）及び／モジュール（単数又は複数）によって実行されることができる。言いかえれば、図９で図示されるブロック９０２〜９０６は、図１０で図示されるミーンズプラスファンクションブロック１００２〜１００６に対応している。
【００５４】
ここにおいて開示される方法は、知られたアプローチに関して、ある利点を提供することができる。基地局２０２にＱｏＳ情報２１２とローディング情報２１４をブロードキャストさせることは、接続リクエストを行うときに、モバイル局２０４がこの情報を使用することを可能にする。例えば、複数の基地局２０２のサービスエリア内にあるモバイル局２０４は、最も好ましい基地局２０２（例、ベストＱｏＳを提供する基地局２０２）を選ぶために、ＱｏＳ情報２１２とローディング情報２１４を使用することができる。さらに、モバイル局２０４は、どのＱｏＳパラメータがリクエストされるべきかを選ぶために、ＱｏＳ情報２１２とローディング情報２１４を使用することができる。したがって、ここにおいて開示される方法は、モバイル局２０４の接続リクエストが基地局２０２によって認められるであろうという可能性を増加させることができる。
【００５５】
上記で示されているように、ここにおいて開示される方法及び装置は、ＷｉＭＡＸシステムでインプリメントされることができる。しかしながら、本開示の範囲は、この点に限定されるべきではない。ここにおいて開示される方法及び装置は、他のタイプのワイヤレス通信システムにおいても利用されることができる。
【００５６】
図１１は、ワイヤレスデバイス内１１０１に含まれうるあるコンポーネントを図示する。ワイヤレスデバイス１１０１は、モバイル局２０４または基地局２０２であってもよい。
【００５７】
ワイヤレスデバイス１１０１はプロセッサ１１０３を含む。プロセッサ１１０３は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等であってもよい。プロセッサ１１０３は、中央処理装置（ＣＰＵ）と呼ばれてもよい。単一のプロセッサ１１０３だけが図１１のワイヤレスデバイス１１０１で示されているが、代替の構成では、プロセッサの組み合わせ（例、ＡＲＭ及びＤＳＰ）も使用されることができる。
【００５８】
ワイヤレスデバイス１１０１はまた、メモリ１１０５を含む。メモリ１１０５は、電子情報を保存することができるいずれの電子コンポーネントであってもよい。メモリ１１０５は、ランダムアクセスメモリ（ＲＡＭ）、読み出し専用メモリ（ＲＯＭ）、磁気ディスクストレージ媒体、光学ストレージ媒体、ＲＡＭにおけるフラッシュメモリデバイス、プロセッサと一緒に含まれるオンボードメモリ、ＥＰＲＯＭメモリ、ＥＥＰＲＯＭメモリ、レジスタ、など、として具現化されることができ、それらの組み合わせも含んでいる。
【００５９】
データ１１０７と命令１１０９は、メモリ１１０５において保存されることができる。命令１１０９は、ここにおいて開示される方法をインプリメントするように、プロセッサ１１０３によって実行可能であることができる。命令１１０９を実行することは、メモリ１１０５に保存されるデータ１１０７の使用を含むことができる。
【００６０】
ワイヤレスデバイス１１０１はまた、ワイヤレスデバイス１１０１と遠隔ロケーション間で信号の送信および受信を可能にするために、送信機１１１１と受信機１１１３を含むことができる。送信機１１１１と受信機１１１３は、トランシーバ１１１５と集約的に呼ばれることができる。アンテナ１１１７は、トランシーバ１１１５に電子的に結合されることができる。ワイヤレスデバイス１１０１はまた、複数の送信機、複数の受信機、複数のトランシーバ、及び／または複数のアンテナを含むことができる（図示されず）。
【００６１】
ワイヤレスデバイス１１０１の様々なコンポーネントは、１以上のバスによって一緒に結合されることができ、そしてそれは、パワーバス、制御シグナルバス、ステータスシグナルバス、データバス等を含むことができる。明瞭にするために、様々なバスは、バスシステム１１１９として図１１で図示される。
【００６２】
ここにおいて記載される技術は、直交多重化スキームに基づいている通信システムを含む様々な通信システムに使用されることができる。そのような通信システムの例は、直交周波数分割多元接続（ＯＦＤＭＡ）システム、単一搬送波周波数分割多元接続（ＳＣ−ＦＤＭＡ）システムなどを含む。ＯＦＤＭＡシステムは、直交周波数分割多重化（ＯＦＤＭ）を利用し、そしてそれは、全体システムの帯域幅を複数の直交サブキャリアへと分割する変調技術である。これらのサブキャリアはまた、トーン、ビン、などと呼ばれることができる。ＯＦＤＭを用いて、各サブキャリアは、データと独立的に変調されることができる。ＳＣ−ＦＤＭＡシステムは、システム帯域幅にわたって分配されるサブキャリア上で送信するインタリーブされるＦＤＭＡ(interleaved FDMA)(ＩＦＤＭＡ)、隣接するサブキャリアのブロック上で送信するローカライズされるＦＤＭＡ（localized FDMA)（ＬＦＤＭＡ）、または、隣接するサブキャリアの複数ブロック上で送信する強化ＦＤＭＡ(enhanced FDMA)（ＥＦＤＭＡ）、を利用することができる。一般に、変調シンボルは、ＯＦＤＭを用いて周波数ドメインで、そして、ＳＣ−ＦＤＭＡを用いて時間ドメインで、送られる。
【００６３】
用語「決定すること(determining)」は広範囲の動作を含んでおり、したがって、「決定すること(determining)」は、計算すること、コンピュートすること、処理すること、導出すること、吟味すること(investigating)、ルックアップすること(looking up)(例、テーブル、データベース、又は別のデータストラクチャにおいてルックアップすること)、確かめること(ascertaining)、及び同様なものを含むことができる。また「決定すること」は、受信すること(例、情報を受信すること)、アクセスすること(例、メモリにおいてデータにアクセスすること)、及び同様なものを含むことができる。また、「決定すること」は、解決すること(resolving)、選択すること(selection)、選ぶこと(choosing)、確立すること(establishing)、および同様なものを含むことができる。
【００６４】
フレーズ「に基づいている(based on)」は、明示的に特定されていないかぎり、「にのみ基づいている(based only on)」を意味していない。言いかえれば、フレーズ「に基づいている(based on)」は、「にのみに基づいている(based only on)」と「に少なくとも基づいている(based at least on)」の両方を説明する。
【００６５】
用語「プロセッサ(processor)」は、汎用プロセッサ、中央処理装置（ＣＰＵ）、マイクロプロセッサ、デジタルシグナルプロセッサ（ＤＳＰ）、コントローラ、マイクロコントローラ、ステートマシンなどを包含するように広く解釈されるべきである。いくつかの環境の下では、「プロセッサ(processor)」は特定用途向け集積回路（ＡＳＩＣ）、プログラマブル論理回路（ＰＬＤ）、フィールドプログラマブルゲートアレイ（ＦＰＧＡ）などを指すことができる。用語「プロセッサ(processor)」は、処理デバイスの組み合わせ、例えばＤＳＰとマイクロプロセッサの組み合わせ、複数のマイクロプロセッサ、ＤＳＰコアと併せて１以上のマイクロプロセッサ、またはいずれの他のそのような構成、を指すことができる。
【００６６】
用語「メモリ(memory)」は、電子情報を保存することができるいずれの電子コンポーネントも含むように広く解釈されるべきである。用語メモリは、ランダムアクセスメモリ（ＲＡＭ）、読み出し専用メモリ（ＲＯＭ）、不揮発性ランダムアクセスメモリ（ＮＶＲＡＭ）、プログラマブル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気または光学のデータストレージ、レジスタなどのような様々なタイプのプロセッサ可読媒体を指すことができる。プロセッサがメモリから情報を読み取ることができる及び／またはメモリに対して情報を書き込むことができる場合には、メモリは、プロセッサと電子通信していると言われる。プロセッサに一体化しているメモリは、プロセッサと電子通信している。
【００６７】
用語「命令(instructions)」と「コード(code)」は、いずれのタイプのコンピュータ可読ステートメント(単数または複数)を含むように広く解釈されるべきである。例えば、用語「命令(instructions)」と「コード(code)」は、1以上のプログラム、ルーチン、サブルーチン、機能、プロシージャなどを指すことができる。「命令(instructions)」と「コード(code)」は、単一のコンピュータ可読ステートメントまたは多くのコンピュータ可読ステートメントを備えることができる。用語「命令(instructions)」と「コード(code)」は、ここにおいて、互換性をもって使用されることができる。
【００６８】
ここにおいて記載される機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令として、記憶されることができる。用語「コンピュータ可読媒体(computer-readable medium)」は、コンピュータによってアクセスされることができるいずれの利用可能な媒体を指す。例として、また限定されないが、コンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形で望まれるプログラムコードを保存あるいは搬送するために使用されることができる、また、コンピュータによってアクセスされることができる、任意の他の媒体も備えることができる。ここにおいて使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、「ディスク(disks)」は、大抵、データを磁気で再生しているが、「ディスク(discs)」は、レーザーで光学的に再生する。
【００６９】
ソフトウェアまたは命令はまた、送信媒体上で送信されることができる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のようなワイヤレス技術を使用している他の遠隔ソース、から送信される場合には、そのときには、同軸ケーブル、光ファイバーケーブル、ツイストペア、ＤＳＬ、あるいは赤外線、無線、およびマイクロ波のようなワイヤレス技術は、送信媒体の定義に含まれる。
【００７０】
ここにおいて開示される方法は、記載される方法を達成するための1以上のステップまたは動作を備える。方法のステップ及び/又は動作は、特許請求の範囲から逸脱することなく互いに置き換えられることができる(may be interchanged)。言いかえれば、ステップまたは動作の具体的な順序は、記載されている方法の適切な動作に必要とされない限り、具体的なステップ及び/または動作の順序及び/または使用は、特許請求の範囲から逸脱することなく修正されることができる。
【００７１】
さらに、ここにおいて記載される方法及び技術を実行するためのモジュール及び／または他の適切な手段、例えば図７及び９で図示されているようなものは、ダウンロードされることができる、及び／または、そうでなければ、デバイスによって得られることができる、ということは理解されるべきである。例えば、デバイスは、ここにおいて記載される方法を実行するための手段の移送(transfer)を容易にするためにサーバに結合されることができる。あるいは、ここにおいて記載される様々な方法は、ストレージ手段(例、ランダムアクセスメモリ（ＲＡＭ）読み出し専用メモリ（ＲＯＭ）、コンパクトディスク（ＣＤ）またはフロッピーディスクのような物理ストレージ媒体等）を介して提供されることができるので、デバイスは、デバイスにストレージ手段を結合するまたは提供するときに、様々な方法を得ることができる。さらに、デバイスに対してここにおいて記載される方法及び技術を提供するためのいずれの他の適切な技術が利用されることができる。
【００７２】
本願の請求項は、厳密な構成及び上記で図示されるコンポーネントに限定されていないということは理解されるべきである。様々な修正、変更、及び変形は、特許請求の範囲から逸脱することなく、配置(arrangement)、オペレーション、及び、ここにおいて記載されるシステム、方法、及び装置の詳細において行われることができる。
【図１】
2012506212.tif 000003
【図２】
2012506212.tif 000004
【図３】
2012506212.tif 000005
【図４】
2012506212.tif 000006
【図５】
2012506212.tif 000007
【図６】
2012506212.tif 000008
【図７】
2012506212.tif 000009
【図８】
2012506212.tif 000010
【図９】
2012506212.tif 000011
【図１０】
2012506212.tif 000012
【図１１】
2012506212.tif 000013
【国際調査報告】
2012506212.tif 000014
2012506212.tif 000015
2012506212.tif 000016